(57)【要約】【課題】ワイヤハーネスの配索形状違いに対応しつつ汎用性の向上を図ることができる、新規な構造のハーネスプロテクタを提供すること。【解決手段】ワイヤハーネス１２を挿通する樋形状のプロテクタ本体１４と、プロテクタ本体１４の上方開口部１６を覆う蓋体１８を備えているハーネスプロテクタ１０において、プロテクタ本体１４は、ワイヤハーネス１２の配索形状に対応した形状で延出すると共に、同一形状の複数の被ロック部３２を有している一方、蓋体１８は、プロテクタ本体１４よりも短尺でストレートに延びて被ロック部３２に嵌合する同一形状の複数のロック部４０を有する共通形状を備えた複数の短尺蓋体１８ａ，１８ｂ，１８ｃによって構成されており、プロテクタ本体１４の長手方向の適所に、複数の短尺蓋体１８ａ，１８ｂ，１８ｃが複数の被ロック部３２と複数のロック部４０の嵌合により連結固定されるようにした。【選択図】図２
2016135038.tif 000002
【特許請求の範囲】
【請求項１】
ワイヤハーネスを挿通する樋形状のプロテクタ本体と、該プロテクタ本体の上方開口部を覆う蓋体を備えているハーネスプロテクタにおいて、
前記プロテクタ本体は、前記ワイヤハーネスの配索形状に対応した形状で延出すると共に、同一形状の複数の被ロック部を有している一方、
前記蓋体は、前記プロテクタ本体よりも短尺でストレートに延びて前記被ロック部に嵌合する同一形状の複数のロック部を有する共通形状を備えた複数の短尺蓋体によって構成されており、
前記プロテクタ本体の長手方向の適所に、前記複数の短尺蓋体が前記複数の被ロック部と前記複数のロック部の嵌合により連結固定されている
ことを特徴とするハーネスプロテクタ。
【請求項２】
各前記短尺蓋体の表面には、複数種類の部品固定構造が設けられている請求項１に記載のハーネスプロテクタ。
【請求項３】
各前記短尺蓋体の表面に部品固定構造が設けられており、該部品固定構造の種類が前記短尺蓋体間で異なる複数種類の短尺蓋体を含んで構成されている請求項１に記載のハーネスプロテクタ。
【請求項４】
前記短尺蓋体の長手方向一方の端部に、前記ワイヤハーネスに結束固定される固定片が設けられている請求項１〜３の何れか１項に記載のハーネスプロテクタ。
【請求項５】
前記被ロック部が、前記プロテクタ本体の一対の側壁外面に設けられたロック枠部によって構成されており、該ロック枠部が前記プロテクタ本体の長手方向に所定ピッチで配設されている一方、前記ロック部が、前記蓋体の幅方向両端縁部から前記プロテクタ本体に向かって突出するロック片部によって構成されており、該ロック片部が前記長手方向で前記ロック枠部と同一ピッチで配設されている請求項１〜４の何れか１項に記載のハーネスプロテクタ。
【発明の詳細な説明】
【技術分野】
【０００１】
本発明は、自動車等に配索されるワイヤハーネスに外装されてワイヤハーネスを保護するハーネスプロテクタに関するものである。
【背景技術】
【０００２】
従来から、自動車等において、ワイヤハーネスを他部材との干渉から保護したり、車内の所定の箇所で保持するために、ハーネスプロテクタが用いられている。ハーネスプロテクタは、例えば特開２０１２−５５１０５号公報（特許文献１）に記載のように、ワイヤハーネスを挿通する樋形状のプロテクタ本体と、プロテクタ本体の上方開口部を覆う蓋体とを備えている。
【０００３】
ところで、ハーネスプロテクタは、ワイヤハーネスの配索形状に合わせて格別に成形された専用品である場合が多く、特に、特許文献１に記載の如く長尺となる場合はその傾向が一層顕著となる。従って、車種毎に異なるハーネスプロテクタを各別に設計する必要があり、汎用性に劣りコスト高となると共に、多種類の部品の管理が煩雑になるという問題を内在していた。
【０００４】
これに対して、ハーネスプロテクタの形状を共通化することも考えられるが、省スペースなワイヤハーネスの配索を実現するためには、ワイヤハーネスの配索経路等を車種やグレード毎に異ならせざるを得ない。従って、ハーネスプロテクタの形状を共通化して汎用性を向上させることは、非現実的であった。
【先行技術文献】
【特許文献】
【０００５】
【特許文献１】特開２０１２−５５１０５号公報
【発明の概要】
【発明が解決しようとする課題】
【０００６】
本発明は、上述の事情を背景に為されたものであって、その解決課題は、ワイヤハーネスの配索形状違いに対応しつつ汎用性の向上を図ることができる、新規な構造のハーネスプロテクタを提供することにある。
【課題を解決するための手段】
【０００７】
本発明の第一の態様は、ワイヤハーネスを挿通する樋形状のプロテクタ本体と、該プロテクタ本体の上方開口部を覆う蓋体を備えているハーネスプロテクタにおいて、前記プロテクタ本体は、前記ワイヤハーネスの配索形状に対応した形状で延出すると共に、同一形状の複数の被ロック部を有している一方、前記蓋体は、前記プロテクタ本体よりも短尺でストレートに延びて前記被ロック部に嵌合する同一形状の複数のロック部を有する共通形状を備えた複数の短尺蓋体によって構成されており、前記プロテクタ本体の長手方向の適所に、前記複数の短尺蓋体が前記複数の被ロック部と前記複数のロック部の嵌合により連結固定されていることを特徴とする。
【０００８】
本態様によれば、ワイヤハーネスが挿通されるプロテクタ本体自体は、ワイヤハーネスの配索形状に対応した形状で設けられることから、ワイヤハーネスの配索形状違いに対応したハーネスプロテクタを提供することができる。一方、蓋体は、プロテクタ本体よりも短尺でストレートに延びて被ロック部に嵌合する同一形状の複数のロック部を有する共通形状を備えた複数の短尺蓋体によって構成されている。これにより、プロテクタ本体の形状にかかわらず、共通形状の短尺蓋体をプロテクタ本体に装着することが可能となり、短尺蓋体を共通化することで、ハーネスプロテクタの汎用性の向上も図ることができる。
【０００９】
特に、同一形状の複数の被ロック部と、かかる被ロック部に嵌合する同一形状の複数のロック部を採用したことにより、複数の短尺蓋体をプロテクタ本体の適所に分散して取り付けることができ、ハーネスプロテクタ装着時の作業に必要な労力の低減を図ることができる。また、例えば、プロテクタ本体がＬ字形状に屈曲している場合でも、プロテクタ本体の屈曲部を避けたストレート部分に２つの短尺蓋体を取り付けるだけで、Ｌ字形状等の特別な形状の蓋体を設けることなく、ワイヤハーネスをプロテクタ本体に収容保持することができるのである。
【００１０】
なお、被ロック部は、プロテクタ本体の一対の側壁外面に所定ピッチで設けたロック枠部や一対の側壁上面に設けた上方開口溝部等の公知の構造によって設けることができる。同様に、ロック部は、蓋体の幅方向両端縁部からプロテクタ本体に向かって突出してロック枠部と同一ピッチで設けられるロック片部や、蓋体の両端縁部に突設されて上方開口溝部に係合する長手状の突起部等の公知の構造によって設けることができる。
【００１１】
本発明の第二の態様は、前記第一の態様に記載のものにおいて、前記短尺蓋体の表面には、複数種類の部品固定構造が設けられているものである。
【００１２】
本態様では、短尺蓋体の表面に複数種類の部品固定構造が設けられている。ハーネスプロテクタには、近隣部品の装着保持を要求される場合もあるが、複数種類の部品固定構造を備えていることにより、短尺蓋体、ひいてはハーネスプロテクタの汎用性の一層の向上を図ることができる。
【００１３】
本発明の第三の態様は、前記第一の態様に記載のものにおいて、各前記短尺蓋体の表面に部品固定構造が設けられており、該部品固定構造の種類が前記短尺蓋体間で異なる複数種類の短尺蓋体を含んで構成されているものである。
【００１４】
本態様では、部品固定構造の種類が短尺蓋体間で異なる複数種類の短尺蓋体を備えていることから、個別に装着保持が要求される近隣部品の種類に応じた短尺蓋体を選択することで個別の要求に対応でき、短尺蓋体、ひいてはハーネスプロテクタの汎用性の一層の向上を図ることができる。
【００１５】
本発明の第四の態様は、前記第一乃至第三の何れか一つの態様に記載のものにおいて、前記短尺蓋体の長手方向一方の端部に、前記ワイヤハーネスに結束固定される固定片が設けられているものである。
【００１６】
本態様では、短尺蓋体に固定片が設けられていることから、ワイヤハーネスの結束作業に際して、プロテクタ本体よりも小型の短尺蓋体をワイヤハーネスに位置決め固定しつつワイヤハーネスの結束作業を行い、結束作業後にプロテクタ本体を装着することが可能となる。これにより、ワイヤハーネス結束用の図板上のスペースを有効活用でき、図板上でのプロテクタ位置決め作業を小さい短尺蓋体で行うことができることから、作業性の向上を図ることができる。
【００１７】
本発明の第五の態様は、前記第一乃至第四の何れか一つの態様に記載のものにおいて、前記被ロック部が、前記プロテクタ本体の一対の側壁外面に設けられたロック枠部によって構成されており、該ロック枠部が前記プロテクタ本体の長手方向に所定ピッチで配設されている一方、前記ロック部が、前記蓋体の幅方向両端縁部から前記プロテクタ本体に向かって突出するロック片部によって構成されており、該ロック片部が前記長手方向で前記ロック枠部と同一ピッチで配設されているものである。
【００１８】
本態様によれば、プロテクタ本体に所定ピッチで複数のロック枠部を設け、短尺蓋体の幅方向両端縁部に上記所定ピッチで複数のロック片部を設ける簡単な構造で、ハーネスプロテクタの汎用性の向上を図ることができる。
【発明の効果】
【００１９】
本発明によれば、プロテクタ本体自体はワイヤハーネスの配索形状に対応した形状で設けられることから、ワイヤハーネスの配索形状違いに対応したハーネスプロテクタを提供できる。一方、蓋体は、プロテクタ本体よりも短尺でストレートに延びて被ロック部に嵌合するロック部を有する共通形状を備えた複数の短尺蓋体によって構成されている。これにより、プロテクタ本体の形状にかかわらず、共通形状の短尺蓋体をプロテクタ本体に装着することが可能となることから、ハーネスプロテクタの汎用性の向上も図ることができる。特に、同一形状の複数の被ロック部と、かかる被ロック部に嵌合するロック部を採用したことにより、複数の短尺蓋体をプロテクタ本体の適所に分散して取り付けることができ、ハーネスプロテクタ装着時の作業に必要な労力の低減を図ることができる。また、例えば、プロテクタ本体がＬ字形状に屈曲している場合でも、プロテクタ本体の屈曲部を避けたストレート部分に２つの短尺蓋体を取り付けるだけで、Ｌ字形状等の特別な形状の蓋体を設けることなく、ワイヤハーネスをプロテクタ本体に収容保持することができる。
【図面の簡単な説明】
【００２０】
【図１】本発明の一実施形態としてのハーネスプロテクタの斜視図（ワイヤハーネスを収容し、リーンフォースへ組み付けた状態）。
【図２】図１に示すハーネスプロテクタの分解斜視図（ワイヤハーネスに蓋体を結束固定し、プロテクタ本体へ組み付ける前の状態）。
【図３】本実施形態のハーネスプロテクタの蓋体の他の態様を示す分解斜視図であって、図２に相当する図。
【発明を実施するための形態】
【００２１】
以下、本発明の実施形態について、図面を参照しつつ説明する。
【００２２】
先ず、図１〜２には、本発明の一実施形態としてのハーネスプロテクタ１０が、示されている。かかるハーネスプロテクタ１０は、ワイヤハーネス１２を挿通する樋形状のプロテクタ本体１４と、プロテクタ本体１４の上方開口部１６を覆う蓋体１８と、を含んで構成されている。なお、理解を容易とするために、図１〜２においてワイヤハーネス１２を仮想線で示している。また、以下の説明において、上方とは、図１中の上方、下方とは、図１中の下方、また前方とは、図１中の左方、後方とは、図１中の右方を言うものとする。
【００２３】
プロテクタ本体１４は、底壁２０と底壁２０の両側から立ち上がる一対の側壁２２，２２を含んで、ワイヤハーネス１２の配索形状に対応した形状で樋状に延びる構成とされており、例えばポリプロピレン（ＰＰ）、ポリアミド（ＰＡ）等の合成樹脂により射出成形等によって一体形成されている。また、プロテクタ本体１４の底壁２０の長手方向に離隔する複数箇所（本実施形態では６箇所）にはクランプ固定部２６が設けられており、かかるクランプ固定部２６に対して図示しないクランプ部のロック部が嵌合固定されるようになっている。さらに、プロテクタ本体１４の底壁２０の長手方向の両端部には、長手方向に沿って延び出す平面視で略矩形状の固定片２８が設けられており、固定片２８の突出端部の幅方向の両端部には幅方向外方に向かって突出するテープ抜け止め突起３０が設けられている。
【００２４】
図１に示されているように、プロテクタ本体１４の一対の側壁２２，２２の外面の上方には、外方に向かって突出する矩形状の被ロック部たるロック枠部３２が設けられており、ロック枠部３２の中央部には上下方向に貫通する係合孔３４が設けられている。なお、本実施形態では、ロック枠部３２はすべて同一形状とされており、一対の側壁２２，２２に対してプロテクタ本体１４の長手方向に所定ピッチでそれぞれ９個ずつ設けられている。なお、ロック枠部３２の配設ピッチや個数はこれに限定されず任意に設定可能である。。また、プロテクタ本体１４の一対の側壁２２，２２の下端部は底壁２０よりも下方に突出しており、底壁２０の幅方向両端部に一対のリブ３５，３５が設けられている。これにより、プロテクタ本体１４には、一対のリブ３５，３５の外面と底壁２０の外面により画成される係合凹部３６が設けられており、係合凹部３６を後述するリーンフォース６４に外嵌することにより、ハーネスプロテクタ１０がリーンフォース６４に対して安定係合されるようになっている。さらに、一対のリブ３５，３５は、略Ｕ字断面形状でプロテクタ本体１４の長手方向に延びる中空構造とされており、一対のリブ３５，３５の内部空間の容積により、プロテクタ本体１４の内部容積、すなわちハーネス収容容積の増大が図られている。
【００２５】
一方、図１〜２に示されているように、蓋体１８は、共通形状を備えた複数（本実施形態では３個）の短尺蓋体１８ａ，１８ｂ，１８ｃによって構成されている。かかる短尺蓋体１８ａ，１８ｂ，１８ｃは、プロテクタ本体１４よりも短尺でストレートに延びる平面視で略矩形平板状の上壁３８と、上壁３８の幅方向両端縁部において下方すなわちプロテクタ本体１４側に向かって突出する略矩形状のロック部たる一対のロック片部４０，４０、を含んで構成されている。すなわち、共通形状とは、短尺蓋体１８ａ，１８ｂ，１８ｃにおいて少なくとも、上壁３８と、上壁３８の幅方向両端縁部に設けられた一対のロック片部４０，４０が、いずれも同じ形状を有し同じ位置に設けられていることを意味している。なお、蓋体１８を構成する短尺蓋体１８ａ，１８ｂ，１８ｃはいずれもプロテクタ本体１４と同じく、例えばポリプロピレン（ＰＰ）、ポリアミド（ＰＡ）等の合成樹脂により射出成形等によって一体形成されており、プロテクタ本体１４とは別体成形とされている。また、本実施形態では、ロック片部４０はすべて同一形状とされており、下方すなわちプロテクタ本体１４側に向かって突出する垂壁部４２と、垂壁部４２から外方に向かって突出する略三角断面形状のロック突部４４を含んで構成されている（図２参照）。そして、ロック片部４０は、上壁３８の幅方向両端縁部において短尺蓋体１８ａ，１８ｂ，１８ｃの長手方向に対してプロテクタ本体１４のロック枠部３２と嵌合するように、ロック枠部３２と同一ピッチでそれぞれ３個ずつ設けられている。
【００２６】
また、蓋体１８を構成する短尺蓋体１８ａ，１８ｂ，１８ｃの上壁３８の長手方向の前端部にはいずれも、長手方向に沿って延び出す平面視で略矩形状の固定片４６が設けられており、固定片４６の突出端部の幅方向の両端部には幅方向外方に向かって突出するテープ抜け止め突起４８が設けられている。かかる固定片４６は、ワイヤハーネス１２に対して図示しない結束テープ等により結束固定されるようになっており、テープ抜け止め突起４８は結束テープ等の抜け止めのために設けられている。
【００２７】
加えて、蓋体１８を構成する短尺蓋体１８ａ，１８ｂ，１８ｃの上壁３８の表面には、部品固定構造が設けられている。より詳細には、短尺蓋体１８ａの上壁３８の表面には、４種類の部品固定構造たる、部品固定部５０，ケーブル固定部５２，コネクタ固定部５４と中継端子固定部５６が設けられている。部品固定部５０は、上方に向かって突出すると共に長手方向に延びる平板状とされており、上部に形成され上方及び板厚方向に開口する側面視で略矩形状の切欠部５８に対して、例えば図示しない部品の取付部が重ね合わされてスクリューボルトが嵌め込まれて固定保持されるようになっている。また、ケーブル固定部５２は、上方に向かって突設され開口部が狭幅とされた上方開口溝部６０から構成されており、上方開口溝部６０に対して、例えば図示しないケーブルが嵌め込まれて固定保持されるようになっている。一方、コネクタ固定部５４は、奥方に向かって開口する平面視で略Ｕ字形状とされており、例えば図示しないコネクタの係合部が嵌め込まれて固定保持されるようになっている。また、中継端子固定部５６は、片持ち状に奥方に向かって突出するロック片６２を含んで構成されており、ロック片６２に対して、例えば図示しない中継端子の係合部が嵌め込まれて固定保持されるようになっている。なお、短尺蓋体１８ｂの上壁３８の表面には、３種類の部品固定構造たる、ケーブル固定部５２、コネクタ固定部５４と２つの中継端子固定部５６が設けられている一方、短尺蓋体１８ｃの上壁３８の表面には、部品固定構造たる１つのケーブル固定部５２と２つの中継端子固定部５６が設けられている。要するに、本実施形態では、部品固定構造の種類が短尺蓋体１８ａ，１８ｂ，１８ｃ間で異なる複数種類の短尺蓋体１８ａ，１８ｂ，１８ｃが装着されており、各短尺蓋体１８ａ，１８ｂ，１８ｃがそれぞれ複数種類の部品固定構造を備えている。
【００２８】
なお、本実施形態では、部品固定構造の種類の組み合わせが異なる３種類の短尺蓋体１８ａ，１８ｂ，１８ｃが装着されていたが、要求に応じて同一の短尺蓋体（例えば１８ａ）を３つ装着することもでき、装着される短尺蓋体の種類は任意に選択可能である。
【００２９】
このような構造とされたハーネスプロテクタ１０の組み付け方法について、以下に説明を行う。先ず、図示しないワイヤハーネス結束用の図板上にワイヤハーネス１２を配設した後、プロテクタ本体１４よりも小型の短尺蓋体１８ａ，１８ｂ，１８ｃをワイヤハーネス１２上に位置決め配置する。そして、固定片４６をワイヤハーネス１２に対して図示しない結束テープ等により結束固定することにより、短尺蓋体１８ａ，１８ｂ，１８ｃをワイヤハーネス１２に対して位置決め固定する。続いて、ワイヤハーネス１２に位置決め固定された短尺蓋体１８ａ，１８ｂ，１８ｃをプロテクタ本体１４に装着する。より詳細には、短尺蓋体１８ａ，１８ｂ，１８ｃが、プロテクタ本体１４の長手方向の適所において、ロック片部４０がそれに対応する位置にあるロック枠部３２の係合孔３４に挿入されロック片部４０のロック突部４４がロック枠部３２に嵌合されることにより、連結固定されるようになっている。これにより、ワイヤハーネス１２が挿通保持されたハーネスプロテクタ１０が構成される。
【００３０】
このように、短尺蓋体１８ａ，１８ｂ，１８ｃに固定片４６が設けられていることから、短尺蓋体１８ａ，１８ｂ，１８ｃをワイヤハーネス１２に位置決め固定した後、プロテクタ本体１４に装着することが可能となっている。これにより、ワイヤハーネス１２の結束工程において、プロテクタ本体１４よりも小型の短尺蓋体１８ａ，１８ｂ，１８ｃをワイヤハーネス１２に位置決めすることで、ワイヤハーネス１２に対するハーネスプロテクタ１０の位置決めが完了する。それ故、ワイヤハーネス結束用の図板上のスペースを有効活用して、作業性の向上を図ることができる。
【００３１】
最後に、このように構成されたハーネスプロテクタ１０を、図１に示されているように、水平に延び出すリーンフォース６４の外周面に対して、リーンフォース６４の長手方向に沿わせて配設する。より詳細には、ハーネスプロテクタ１０のプロテクタ本体１４の底壁２０をリーンフォース６４の外周面に係合すると共に、ハーネスプロテクタ１０の底壁２０に突設された図示しないクランプ部をリーンフォース６４の取付孔に嵌合することにより、リーンフォース６４に対してハーネスプロテクタ１０が保持されるようになっている。
【００３２】
上述の如き構造の本実施形態のハーネスプロテクタ１０によれば、プロテクタ本体１４が、ワイヤハーネス１２の配索形状に対応した形状で樋状に延びる構成とされていることから、ワイヤハーネス１２の配索形状違いに対応したハーネスプロテクタ１０を提供することができる。すなわち、本実施形態では、プロテクタ本体１４がリーンフォース６４に沿ってストレートに配索されるワイヤハーネス１２の配索形状に対応してストレートに延出する構造とされていたが、例えばＬ字状の配索形状の場合、プロテクタ本体１４をそれに対応したＬ字に延出するように形成すればよい。一方、蓋体１８は、プロテクタ本体１４よりも短尺でストレートに延びてロック枠部３２に嵌合する同一形状の複数のロック片部４０をロック枠部３２と同一ピッチで有するという共通形状を備えた短尺蓋体１８ａ，１８ｂ，１８ｃによって構成されている。これにより、プロテクタ本体１４の形状に依らず、共通形状の短尺蓋体１８ａ，１８ｂ，１８ｃをプロテクタ本体１４に装着することが可能となることから、ハーネスプロテクタ１０の汎用性を向上することができる。すなわち、例示のストレート形状のハーネスプロテクタ１０やＬ字形状のハーネスプロテクタの両方に対して、共通形状化された短尺蓋体１８ａ，１８ｂ，１８ｃを取り付けることができ、ワイヤハーネス１２の配索形状違いに対応したハーネスプロテクタ１０を、共通化された蓋体１８による高い汎用性をもって提供できるのである。加えて、共通化された短尺蓋体１８ａ，１８ｂ，１８ｃの上壁３８の表面には複数種類の部品固定構造５０，５２，５４，５６が設けられていることから、例えば近隣部品の装着保持等が可能となり、短尺蓋体１８ａ，１８ｂ，１８ｃひいてはハーネスプロテクタ１０の汎用性の一層の向上が図られている。また、プロテクタ本体１４に所定ピッチで同一形状の複数のロック枠部３２を設ける一方、短尺蓋体１８ａ，１８ｂ，１８ｃに対応するピッチで同一形状の複数のロック片部４０を設ける簡単な構造で汎用性の向上を図ると共に、短尺蓋体１８ａ，１８ｂ，１８ｃをプロテクタ本体１４の適所に分散して取り付けることができ、ハーネスプロテクタ１０装着時すなわちプロテクタ本体１４に短尺蓋体１８ａ，１８ｂ，１８ｃを装着する作業に必要な労力の低減を図ることができる。
【００３３】
次に、図３を用いて、本発明のハーネスプロテクタ６６の蓋体６８の他の態様について詳述するが、上記実施形態と同様な構造とされた部材および部位については、図中に、上記実施形態と同一の符号を付することにより、それらの詳細な説明を省略する。すなわち、かかるハーネスプロテクタ６６は、蓋体６８を構成する各短尺蓋体６８ａ，６８ｂ，６８ｃの表面に部品固定構造が設けられており、各短尺蓋体６８ａ，６８ｂ，６８ｃでは、単一種類の部品固定構造がそれぞれ３つ設けられている。より詳細には、各短尺蓋体６８ａ，６８ｂ，６８ｃの上壁３８の表面には、それぞれ異なる種類の３つの部品固定構造すなわちケーブル固定部５２，コネクタ固定部５４，中継端子固定部５６がそれぞれ設けられているのである。
【００３４】
本実施形態では、部品固定構造の種類が短尺蓋体６８ａ，６８ｂ，６８ｃ間で異なり、各短尺蓋体６８ａ，６８ｂ，６８ｃでは単一種類の部品固定構造が設けられている。例えば個別に装着保持が要求される近隣部品に応じた部品固定構造を有する短尺蓋体６８ａ，６８ｂ，６８ｃを選択することで個別の要求に対応することが可能となる。それ故、上記実施形態と同様に、短尺蓋体６８ａ，６８ｂ，６８ｃひいてはハーネスプロテクタ６６の汎用性の一層の向上を図ることができる等の効果を得ることができる。
【００３５】
以上、本発明の一実施形態について説明してきたが、これはあくまでも例示であって、本発明は、かかる実施形態における具体的な記載によって、何等、限定的に解釈されるものではない。
【００３６】
例えば、上記実施形態では、プロテクタ本体１４がストレートに延びる構成について例示を行ったが、プロテクタ本体がＬ字形状に屈曲しているような場合であっても、プロテクタ本体の屈曲部を避けたストレート部分に例えば２つの短尺蓋体１８ａを取り付けることで、従来の如きＬ字形状等の特別な形状の蓋体を設けることなく、ワイヤハーネス１２をプロテクタ本体に収容保持することができる。
【００３７】
また、上記実施形態では、被ロック部は、プロテクタ本体１４の一対の側壁２２，２２の外面に所定ピッチで設けたロック枠部３２によって構成されていたが、一対の側壁２２，２２の上面に設けた上方開口溝部等の任意の公知の構造によって構成することもできる。同様に、ロック部についても、上記実施形態で例示のロック片部４０以外に、蓋体１８の両端縁部に突設されて上方開口溝部に係合する長手状の突起部等の任意の公知の構造によって構成することもできる。
【００３８】
加えて、上記実施形態では、部品固定構造として、部品固定部５０，ケーブル固定部５２，コネクタ固定部５４や中継端子固定部５６を例示したが、予備のヒューズ等を保持する電子部品固定部等の任意の公知の構造を採用することもできる。また、短尺蓋体１８ａ，１８ｂ，１８ｃの上壁３８の表面には部品固定構造が設けられていたが、必ずしも部品固定構造が設けられていなくてもよい。さらに、短尺蓋体１８ａ，１８ｂ，１８ｃには固定片４６が設けられていたが、必ずしも固定片４６が設けられていなくてもよい。
【００３９】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００４０】
１０，６６：ハーネスプロテクタ、１２：ワイヤハーネス、１４：プロテクタ本体、１６：上方開口部、１８，６８：蓋体、１８ａ〜ｃ，６８ａ〜ｃ：短尺蓋体、２２：側壁、３２：ロック枠部（被ロック部）、４０：ロック片部（ロック部）、４６：固定片、５０：部品固定部（部品固定構造）、５２：ケーブル固定部（部品固定構造）、５４：コネクタ固定部（部品固定構造）、５６：中継端子固定部（部品固定構造）
【図１】
2016135038.tif 000003
【図２】
2016135038.tif 000004
【図３】
2016135038.tif 000005